(57)【特許請求の範囲】
【請求項１】
人物を検出した時に照明器具を点灯させるための照明制御用センサであって、
前記人物を検出するセンサ部と、
前記照明器具と接続され、前記センサ部の検出出力から人物が存在することを判断した場合に、前記照明器具を点灯させる制御信号を出力する照明制御部とを備え、
前記照明制御部は、前記センサ部によって前記人物を検出している時間が第１の所定時間となった時に人物が存在することを判断し、制御信号を前記照明器具に出力して前記照明器具を点灯させる第１の制御モードと、前記センサ部によって前記人物を検出している時間が前記第１の所定時間よりも長い第２の防犯制御用の所定時間となった時に人物が存在することを判断し、制御信号を前記照明器具に出力して前記照明器具を点灯させる第２の防犯制御モードとを有し、前記第１の制御モードと前記第２の防犯制御モードとが切換可能となっていることを特徴とする照明制御用センサ。
【請求項２】
他の照明制御用センサと接続され、当該他の照明制御用センサが前記第１の制御モード又は前記第２の制御モードに切り換えられた場合に、自己の制御モードを、当該他の照明制御用センサと同じ制御モードに切り換えることを特徴とする請求項１に記載の照明制御用センサ。
【請求項３】
前記第１の制御モードと前記第２の制御モードとの何れかを設定するスイッチ部を更に備え、当該スイッチ部の操作によって前記第１の制御モードと前記第２の制御モードとが切換可能となっていることを特徴とする請求項１又は請求項２に記載の照明制御用センサ。
【請求項４】
外部からの信号によって前記第１の制御モードと前記第２の制御モードとが切換可能となっていることを特徴とする請求項１又は請求項２に記載の照明制御用センサ。
【請求項５】
人物が所定の空間に存在しないことを表す信号を出力する機器と接続され、当該端末機器からの信号によって前記第１の制御モードと前記第２の制御モードとが切換可能となっていることを特徴とする請求項１又は請求項２に記載の照明制御用センサ。
【請求項６】
複数の照明器具と接続されて各照明器具の状態を監視又は制御する監視盤と接続され、当該監視盤からの信号によって前記第１の制御モードと前記第２の制御モードとが切換可能となっていることを特徴とする請求項１又は請求項２に記載の照明制御用センサ。
【発明の詳細な説明】
【技術分野】
【０００１】
本発明は、熱線センサ等によって人物を検出した場合に照明を点灯させる照明制御用センサに関する。
【背景技術】
【０００２】
従来より、人物検知センサとして熱線センサを使用して、人物の動きによる温度変化を検知して、照明器具を点灯させる技術としては、下記の特許文献１に記載されたものが知られている。
【０００３】
この特許文献１に記載された技術を始めとする照明制御システムは、例えば図１４に示すように、電源と接続された照明制御用センサ１０１に熱線センサ１１１を設けると共に、調光信号線１０３を介して照明器具１０２と接続されている。
【０００４】
この照明制御システムにおいて、熱線センサ１１１の人物検知範囲１０１ａ内に人物が進入して、熱線センサ１１１で人物の動きを検知すると、照明制御用センサ１０１は、照明器具１０２に制御信号を出力又は照明器具１０２への電源供給を開始して照明器具１０２を点灯させる。また、照明制御用センサ１０１は、照明器具１０２を点灯させて、所定の動作保持時間に再度人物の動きを検知していない場合には、照明器具１０２を消灯させる。
【特許文献１】特開平８−２７３０６４号公報
【発明の開示】
【発明が解決しようとする課題】
【０００５】
しかしながら、上述の照明制御用センサ１０１では、熱線センサ１１１によって人物を検知した時に反応良く照明器具１０２を点灯させるように設計しているために、熱線センサ１１１に風が吹き込んだり、他の機器の温度変化を検出した場合には、人物の動きとして誤検知してしまう問題があった。したがって、人物が存在しない筈の時間帯などにおいて、熱線センサ１１１によって人物の動きを検知した場合に、不審な人物として威嚇するといった他の用途には使用できないという問題点がある。
【０００６】
そこで、本発明は、上述した実情に鑑みて提案されたものであり、人物を検知した時に照明器具を速やかに点灯させる用途のみならず、簡単な構成で防犯用として照明器具を点灯させることができる照明制御用センサを提供することを目的とする。
【課題を解決するための手段】
【０００７】
本発明は、人物を検出した時に照明器具を点灯させるための照明制御用センサであって、人物を検出するセンサ部と、照明器具と接続され、センサ部の検出出力から人物が存在することを判断した場合に、前記照明器具を点灯させる制御信号を出力する照明制御部とを備え、上述の課題を解決するために、照明制御部は、前記センサ部によって人物を検出している時間が第１の所定時間となった時に人物が存在することを判断し、制御信号を前記照明器具に出力して照明器具を点灯させる第１の制御モードと、センサ部によって人物を検出している時間が第１の所定時間よりも長い第２の防犯制御用の所定時間となった時に人物が存在することを判断し、制御信号を照明器具に出力して照明器具を点灯させる第２の防犯制御モードとを有し、第１の制御モードと第２の防犯制御モードとが切換可能となっている。
【発明の効果】
【０００８】
本発明に係る照明制御用センサによれば、第１の制御モードと第２の制御モードとを切り換え可能とし、第２の制御モードとした場合には、第１の制御モードにおいて人物が存在すると判断するまでの時間を、第１の所定時間よりも長い第２の所定時間にするので、第２の制御モード時に進入した人物に対する威嚇効果を期待でき、人物を検知した時に照明器具を速やかに点灯させる用途のみならず、簡単な構成で防犯用として照明器具を点灯させることができる。
【発明を実施するための最良の形態】
【０００９】
以下、本発明の実施の形態について図面を参照して説明する。
【００１０】
本発明は、例えば図１に示すように、照明器具２と調光信号線３を介して接続されて、当該照明器具２の点灯状態を制御するための照明制御用センサ１に適用される。
【００１１】
この照明制御用センサ１は、電源と接続され、当該電源からの電力供給を受けて動作して、照明器具２を点灯制御する。また、この照明制御用センサ１は、所定の人物検知範囲１ａ内における温度変化（遠赤外線エネルギー）を検知して、人物の動きを検知する熱線センサ部１１を備えている。
【００１２】
この照明制御用センサ１は、例えば図２に示すように熱線センサ部１１、ＣＰＵ（Central Processing Unit）部１２及び電源作成部１３を備え、電源作成部１３で作成された電源を熱線センサ部１１及びＣＰＵ部１２に供給して動作する。熱線センサ部１１は、人物検知範囲１ａ内の人物が移動する度にパルス信号を発生して、ＣＰＵ部１２に供給するように構成される。そして、ＣＰＵ部１２は、熱線センサ部１１からのパルスの個数が所定値に達した場合に、人物検知範囲１ａ内に人物が存在することを認識する。
【００１３】
ＣＰＵ部１２は、調光信号線３を介して照明器具２と接続されて、熱線センサ部１１の検出出力から人物検知範囲１ａ内において人物が存在していることを判断した時に照明器具２を点灯させると共に、人物が存在していないことを判断した時に照明器具２を消灯させるように調光制御信号を照明器具２に供給する。これによって、ＣＰＵ部１２は、照明制御部として機能する。
【００１４】
このような照明制御用センサ１におけるＣＰＵ部１２は、熱線センサ部１１によって人物を検知している時間が第１の所定時間（通常制御時間）となった時に人物が存在することを判断し、制御信号を照明器具２に出力して照明器具２を点灯させる第１の制御モード（以下、通常制御モードと呼ぶ。）と、熱線センサ部１１によって人物を検出している時間が第１の所定時間よりも長い第２の所定時間（防犯制御時間）となった時に人物が存在することを判断し、制御信号を照明器具２に出力して照明器具２を点灯させる第２の制御モード（以下、防犯制御モードと呼ぶ。）とを有する。この通常制御時間は、熱線センサ部１１によって人物を検知した時に、反応良く照明器具２を点灯させるために予め設定される時間であり、防犯制御時間は、明らかに通常制御時間よりも長く、不審な人物に対して照明器具２を点灯させて威嚇効果が期待できる時間である。
【００１５】
例えば図１に示すように、通常制御モードにおいては、人物検知範囲１ａに人物が侵入して、人物位置１００ｔ１から人物位置１００ｔ２までの短い距離Ａを人物が移動した時に照明器具２を点灯させるのに対して、防犯制御モードにおいては、距離Ａよりも長い人物位置１００ｔ１から人物位置１００ｔ３までの距離Ｂだけ移動した時に照明器具２を点灯させる。
【００１６】
この通常制御モードにおいて人物の動きを検知して人物が存在すると判断するまでの時間（通常制御時間）は、例えば数十ｍｓｅｃであり、防犯制御モードにおいて人物の動きを検知して人物が存在すると判断するまでの時間（防犯制御時間）は、当該数十ｍｓｅｃの数十倍としておく。この防犯制御モードにおいて人物の動きを検知してから人物が存在すると判断するまでの時間（防犯制御時間）は、風の熱線センサ部１１への吹き込みや、他のＯＡ機器の温度変化等の一時的な温度変化を熱線センサ部１１で検知しても、照明器具２を点灯させないように設定されている。このように、防犯制御モードにおいては、通常制御モードよりも長い防犯制御時間に亘って人物が検知されている場合に照明器具２を点灯させることで、人物検知範囲１ａに進入した不審な人物に対する威嚇効果を発揮させる。すなわち、防犯制御モードの時は、不審な人物が侵入したタイミングからずらして不意に照明を点灯させることにより威嚇する。
【００１７】
また、ＣＰＵ部１２は、通常制御モードと防犯制御モードとを、ＣＰＵ部１２自身によって切換可能となっている。したがって、人物検知範囲１ａに進入した人物によってできるだけ速やかに照明器具２を点灯させる場面ではＣＰＵ部１２の制御モードを通常制御モードに設定し、人物検知範囲１ａに進入した人物を不審者として防犯する場面ではＣＰＵ部１２の制御モードを防犯制御モードに設定する。
【００１８】
このような照明制御用センサ１は、図３に示すように動作する。なお、この動作説明では、熱線センサ部１１のパルス数を人物検出回数と見なし、当該パルス数を所定数とすることによって通常制御モードの通常制御時間を設定しておき、当該所定数のパルス数よりも多いパルス数を防犯制御モードの通常制御時間よりも長い防犯制御時間として設定しておくものとする。
【００１９】
先ずステップＳ１において、ＣＰＵ部１２は、ＣＰＵ部１２で計数する熱線センサ部１１のパルス数のカウンタ値（人物検出回数）Ｓを０に初期化し、ステップＳ２において、熱線センサ部１１からのパルス入力を判定して、パルスを入力しておらず人物を検知していないと判定した場合にはステップＳ１に処理を戻し、パルスを入力して人物を検出したと判定した場合には、ステップＳ３において、パルス数のカウンタ値Ｓをインクリメントする。
【００２０】
次のステップＳ４において、ＣＰＵ部１２は、現在の制御モードを確認して、通常制御モードである場合にはステップＳ５に処理を進め、防犯制御モードである場合にはステップＳ６に処理を進める。
【００２１】
ステップＳ５において、ＣＰＵ部１２は、ステップＳ３で計数されたパルス数のカウンタ値Ｓが通常制御モードにおける所定数Ｓ１に達しているか否かを判定して、パルス数のカウンタ値Ｓが所定数Ｓ１に達していない場合にはステップＳ２に処理を戻す。一方、ＣＰＵ部１２は、パルス数のカウンタ値Ｓが所定数Ｓ１に達している場合には、ステップＳ７において、照明器具２を点灯させる。
【００２２】
このように照明制御用センサ１は、ステップＳ２で人物検知範囲１ａ内の人物を検出している期間ではパルス数のカウンタ値Ｓを次々にインクリメントして、人物が人物検知範囲１ａに進入して熱線センサ部１１で検知している時間が通常制御時間となったら、照明器具２を点灯させる。
【００２３】
一方、ステップＳ４において、制御モードが防犯制御モードである場合、ステップＳ３で計数されたパルス数のカウンタ値Ｓが防犯制御モードにおける所定数Ｓ２（＞Ｓ１）に達しているか否かを判定して、パルス数のカウンタ値Ｓが所定数Ｓ２に達していない場合にはステップＳ２に処理を戻す。一方、ＣＰＵ部１２は、パルス数のカウンタ値Ｓが所定数Ｓ２に達している場合には、ステップＳ７において、照明器具２を点灯させるように制御する。この所定数Ｓ２は、所定数Ｓ１よりも高い値であって、上述の通常制御モードにおいて人物検知から人物が存在していると判断するまでの通常制御時間よりも、人物検知から人物が存在していると判断するまでの時間が長くなるように設定されている。
【００２４】
このように照明制御用センサ１は、通常制御モードにおける所定数Ｓ１よりも大きい所定数Ｓ２を設定しておくことによって、人物が人物検知範囲１ａに進入して熱線センサ部１１で検知している時間が通常制御時間よりも長い防犯制御時間に達した時に、照明器具２を点灯させる。
【００２５】
以上のように、本発明を適用した照明制御用センサ１によれば、制御モードを防犯制御モードに設定しておくことによって、防犯制御モード時に進入した人物に対する威嚇効果を期待でき、人物を検知した時に照明器具２を速やかに点灯させる用途のみならず、簡単な構成で防犯用として照明器具２を点灯させることができる。また、通常の照明制御の構成を利用して、防犯用の照明設備を実現できる。
【００２６】
また、上述した本発明を適用した照明制御用センサ１は、調光信号線３を介して照明器具２と接続されている場合について説明したが、この構成に限らず、図４に示すように、電源線３’と照明器具２とを接続し、当該電源線３’に設けられたスイッチ１４をＣＰＵ部１２によって開閉する構成であっても良い。このような照明制御用センサ１は、ＣＰＵ部１２によって熱線センサ部１１の検出出力から人物検知範囲１ａ内において人物が存在していることを判断した時には、スイッチ１４を閉状態にして電源と照明器具２とを導通させて照明器具２を点灯させると共に、人物が存在していないことを判断した時には、スイッチ１４を開状態にして電源と照明器具２とを遮断して、照明器具２を消灯させる。
【００２７】
つぎに、複数の照明制御用センサ１が存在しているシステムにおいて、他の照明制御用センサ１の制御モードに連動して、自己の制御モードを切り換えることについて説明する。
【００２８】
この照明制御用センサ１は、他の照明制御用センサ１と接続され、当該他の照明制御用センサ１が通常制御モード又は防犯制御モードに切り換えられた場合に、自己の制御モードを、当該他の照明制御用センサ１と同じ制御モードに切り換える。
【００２９】
具体的には、図５に示すように、一方の照明制御用センサ１を照明制御用センサ子器１Ａとし、他方の照明制御用センサ１を照明制御用センサ親器１Ｂとする。また、照明制御用センサ親器１Ｂには照明器具２が接続されているが、照明制御用センサ子器１Ａには照明器具２が接続されておらず、照明制御用センサ子器１Ａ又は照明制御用センサ親器１Ｂによって人物の動きを検知した場合に、照明制御用センサ親器１Ｂに接続された照明器具２を点灯させる。
【００３０】
照明制御用センサ親器１Ｂは、図６に示すように、自己のＣＰＵ部１２Ｂ及び熱線センサ部１１Ｂを動作させる電力を作成すると共に、照明制御用センサ子器１Ａの熱線センサ部１１Ａ及びＣＰＵ部１２Ａを動作させる電力を作成する。
【００３１】
照明制御用センサ子器１Ａと照明制御用センサ親器１Ｂとは、子器信号線２１で接続されている。この子器信号線２１は、照明制御用センサ親器１Ｂに連動して照明制御用センサ子器１Ａの制御モードを切り換えるモード切換信号と、照明制御用センサ子器１Ａで人物の動きを検知したことを通知するための人物検知信号とを伝送する。また、この子器信号線２１は、照明制御用センサ親器１Ｂから照明制御用センサ子器１Ａに電力を供給する電力線としても機能する。
【００３２】
なお、図６に示す例では、モード切換信号を制御線２１Ａで伝送すると共に、人物検知信号を既存の信号線２１Ｂで伝送するように子器信号線２１を構成している。また、図７に示すように、子器信号線２１を２線式で構成して、ディジタルデータのモード切換信号及び人物検知信号の伝送を単線で伝送すると共に、電力供給を行っても良い。
【００３３】
この照明制御用センサ子器１Ａは、通常制御モードにおいて、熱線センサ部１１Ａによって人物検知範囲１ａに進入した人物の動きを検知している時間が通常制御時間に達した時には、人物検知信号を照明制御用センサ親器１Ｂに出力して照明器具２を点灯させる。また、照明制御用センサ子器１Ａは、照明制御用センサ親器１Ｂが通常制御モードから防犯制御モードに切り換えられた場合には、照明制御用センサ親器１Ｂからモード切換信号が送信される。これに応じて、照明制御用センサ子器１ＡのＣＰＵ部１２Ａは、自己の制御モードを防犯制御モードに切り換える。逆に、照明制御用センサ親器１Ｂが防犯制御モードから通常制御モードに切り換えられた場合には、その旨を示すモード切換信号を照明制御用センサ子器１ＡのＣＰＵ部１２Ａで受信して、防犯制御モードから通常制御モードに切り換える。
【００３４】
以上のように、照明制御用センサ親器１Ｂの制御モードの切り換えに連動して照明制御用センサ子器１Ａの制御モードを切り換えることができるので、照明制御用センサ親器１Ｂと共に照明制御用センサ子器１Ａを防犯用として使用することができる。また、熱線センサ１１を使用したシステムが多数の熱線センサ１１から構成されることがあるため、このような場合であっても、照明制御用センサ親器１Ｂのみ制御モードを切り換えれば、他の照明制御用センサ子器１Ａの制御モードも同時に切り換えることができる。
【００３５】
また、照明制御用センサ子器１Ａと照明制御用センサ親器１Ｂとを使用した場合において、図８に示すように、照明制御用センサ親器１Ｂの本体にモード切換スイッチ３１を設けておき、当該モード切換スイッチ３１の操作によって照明制御用センサ子器１Ａの制御モードを切り換えるようにしても良く、リモートコントローラ３２からの無線信号を照明制御用センサ親器１Ｂで受信して、照明制御用センサ子器１Ａの制御モードを切り換えるようにしても良い。このような照明制御用センサ親器１Ｂは、図９に示すように、ＣＰＵ部１２Ｂに接続されたモード切換部３３を備える。
【００３６】
このモード切換部３３は、モード切換スイッチ３１又はリモートコントローラ３２から無線信号を受信する受信機で構成される。モード切換部３３は、モード切換スイッチ３１の操作又はリモートコントローラ３２からの無線信号を受信した場合に、制御モードが切り換えられたことをＣＰＵ部１２Ｂに通知する。そして、ＣＰＵ部１２Ｂは、自己の制御モードを切り換えると共に、子器信号線２１を介してモード切換信号を照明制御用センサ子器１ＡのＣＰＵ部１２Ａに供給する。
【００３７】
以上のように、モード切換スイッチ３１又はリモートコントローラ３２の操作によって、照明制御用センサ親器１Ｂの制御モードの切り換えに連動して、照明制御用センサ子器１Ａの制御モードを切り換えることができ、人為的な操作によって照明制御用センサ親器１Ｂのみならず照明制御用センサ子器１Ａの制御モードの切り換えが実現できる。また、リモートコントローラ３２を使用して制御モードの切り換えを可能としたので、照明制御用センサ親器１Ｂが天井に設けられているような場合であっても、直接照明制御用センサ親器１Ｂを操作することなく簡単に制御モードの切り換えを行うことができる。
【００３８】
更に、照明制御用センサ親器１Ｂによって照明制御用センサ子器１Ａの制御モードを切り換えるためには、図１０に示すように、外部からのモード切換信号によって、照明制御用センサ親器１Ｂの制御モードを切り換え、当該切り換えに連動して照明制御用センサ子器１Ａの制御モードを切り換えるようにしても良い。
【００３９】
例えば図１１に示すように、照明制御用センサ親器１Ｂのみならず、照明制御用センサ親器１Ｂが設けられた部屋にスイッチを設けて、当該スイッチやリモートコントローラ３２からのモード切換信号を照明制御用センサ親器１ＢのＣＰＵ部１２Ｂで受信する。このように照明制御用センサ親器１Ｂにモード切換信号を供給する構成を追加するのみで、自動的に照明制御用センサ子器１Ａ及び照明制御用センサ親器１Ｂの制御モードの切り換えを実現できる。
【００４０】
更にまた、照明制御用センサ親器１Ｂによって照明制御用センサ子器１Ａの制御モードを切り換えるためには、図１２に示すように、人物が所定の空間に存在しないことを表す信号を出力する機器である外部機器４１と照明制御用センサ親器１Ｂとを接続して、外部機器４１からのモード切換信号によって照明制御用センサ親器１Ｂ及び照明制御用センサ子器１Ａの制御モードを切り換えるようにしても良い。
【００４１】
外部機器４１は、例えばセキュリティキーボックスであり、所定の室内空間の鍵保管状態を表す信号を出力する。例えば、所定のテナントのキーがセキュリティキーボックスに格納された場合には、当該所定のテナントの鍵が保管されたことを表す信号を照明制御用センサ親器１Ｂに送信する。これによって、照明制御用センサ親器１Ｂは、当該所定のテナント内を人物検知範囲１ａとした照明制御用センサ子器１Ａを防犯制御モードに切り換えるように制御できる。
【００４２】
また、外部機器４１をカードリーダとした場合、所定の空間に存在すべき全ユーザのＩＣカードの退出操作をカードリーダで受け付けた場合に、当該カードリーダから照明制御用センサ親器１Ｂに人物が所定の空間に存在しないことを表す信号を出力する。これによって、照明制御用センサ親器１Ｂは、当該所定の空間を人物検知範囲１ａとする照明制御用センサ子器１Ａを防犯制御モードに切り換えることができる。
【００４３】
以上のように、外部機器４１からの信号を照明制御用センサ親器１Ｂで受信して、照明制御用センサ子器１Ａを連動して防犯制御モードに切り換えることができるので、セキュリティキーボックスによって鍵保管状態や、カードリーダによって全ユーザが退出した場合等の所定条件が成立した時に、自動的に制御モードを防犯制御モードに切り換えることができる。
【００４４】
更に、照明制御用センサ親器１Ｂによって照明制御用センサ子器１Ａの制御モードを切り換えるためには、図１３に示すように、ビル内の複数の照明器具２、当該照明器具２のリレー回路５２及び外部機器４１が、通信線５１を介して、リレー回路５２や外部機器４１の動作状態を制御又は監視する監視盤５３と接続されているシステムにおいて、監視盤５３によって照明制御用センサ親器１Ｂに制御モードの切り換えを通知し、当該照明制御用センサ親器１Ｂによって照明制御用センサ子器１Ａの制御モードを切り換える。また、監視盤５３によって、照明制御用センサ親器１Ｂの制御モードを個別に切り換えることができ、更に、照明制御用センサ親器１Ｂの制御モード及び照明制御用センサ子器１Ａの制御モードの一括制御もできる。
【００４５】
このようなシステムは、例えば外部機器４１がセキュリティキーボックスであって、人物検知範囲１ａには人物が存在しないことを表す信号を監視盤５３に供給すると、照明制御用センサ子器１Ａの制御モードを防犯制御モードとする制御信号を照明制御用センサ親器１Ｂに供給する。これによって、照明制御用センサ親器１Ｂは、照明制御用センサ子器１Ａにモード切換信号を出力して、防犯制御モードとさせる。そして、人物検知範囲１ａに不審な人物が侵入したことを照明制御用センサ子器１Ａで検知した場合、照明制御用センサ子器１Ａから出力された人物検知信号は、照明制御用センサ親器１Ｂ及び監視盤５３に供給され、リレー回路５２がオン状態とされると共に、照明制御用センサ親器１Ｂから照明器具２に制御信号が供給されて、照明器具２を点灯させることができる。
【００４６】
以上のように、外部機器４１の信号を照明制御用センサ親器１Ｂで直接受信する構成としなくても、所定の条件が成立した場合には、既存の監視盤５３からの信号によって照明制御用センサ子器１Ａを自動的に防犯制御モードに切り換えることができる。
【００４７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００４８】
例えば、上述した実施の形態では、人物を検出するセンサとして熱線センサであることを説明したが、これに限らず、当該熱線センサに代えて赤外線センサとしても良い。また、上述の実施の形態では、主に所定の室内空間で照明器具２を防犯用に使用できることを説明したが、野外の照明器具２を通常制御モードと防犯制御モードとで切り換えても良いことは勿論である。
【００４９】
また、照明制御用センサ親器１Ｂは、図６，図７，図８，図９，図１０及び図１１のように照明器具２と調光信号線３で接続されているが、図４に示したように、ＣＰＵ部１２によって開閉されるスイッチ１４が設けられた電源線３’で照明器具２と接続されていても良い。
【図面の簡単な説明】
【００５０】
【図１】本発明を適用した照明制御用センサを含むシステムを示すブロック図である。
【図２】本発明を適用した照明制御用センサの構成を示すブロック図である。
【図３】本発明を適用した照明制御用センサの動作を示すフローチャートである。
【図４】本発明を適用した照明制御用センサの他の構成を示すブロック図である。
【図５】本発明を適用した子器の照明制御用センサの制御モードを、親器の照明制御用センサの制御モードに連動させて切り換える構成を示すブロック図である。
【図６】親器の照明制御用センサと子器の照明制御用センサの構成を示すブロック図である。
【図７】親器の照明制御用センサと子器の照明制御用センサの他の構成を示すブロック図である。
【図８】本発明を適用した子器の照明制御用センサの制御モードを、親器の照明制御用センサの制御モードに連動させて切り換える他の構成を示すブロック図である。
【図９】親器の照明制御用センサと子器の照明制御用センサの他の構成を示すブロック図である。
【図１０】本発明を適用した照明制御用センサの制御モードを外部からの信号によって切り換える構成を示すブロック図である。
【図１１】親器の照明制御用センサと子器の照明制御用センサの他の構成を示すブロック図である。
【図１２】本発明を適用した照明制御用センサの制御モードを外部機器からの信号によって切り換える構成を示すブロック図である。
【図１３】本発明を適用した照明制御用センサの制御モードを監視盤からの信号によって切り換える構成を示すブロック図である。
【図１４】従来における照明制御用センサについて説明するためのシステム図である。
【符号の説明】
【００５１】
１  照明制御用センサ
２  照明器具
３  調光信号線
１１  熱線センサ部
１２  照明制御用センサ
１３  電源作成部
２１  子器信号線
３１  モード切換スイッチ
３２  リモートコントローラ
３３  モード切換部
４１  外部機器
５１  通信線
５３  監視盤
【図１】
0004752446.tif 000002
【図２】
0004752446.tif 000003
【図３】
0004752446.tif 000004
【図４】
0004752446.tif 000005
【図５】
0004752446.tif 000006
【図６】
0004752446.tif 000007
【図７】
0004752446.tif 000008
【図８】
0004752446.tif 000009
【図９】
0004752446.tif 000010
【図１０】
0004752446.tif 000011
【図１１】
0004752446.tif 000012
【図１２】
0004752446.tif 000013
【図１３】
0004752446.tif 000014
【図１４】
0004752446.tif 000015